(57)【要約】【課題】１０年以上経過したしみでも、漬け置きして置くだけで、繊維の種類や色柄に拘らず新品と同様に確実にしみ抜きすることができるしみ抜き剤を提供するものである。【解決手段】脂肪タンパク質分解酵素が２０〜７５重量％、中性界面活性剤を１〜１０重量％、残部が過炭酸ソーダからなることを特徴とするもので、脂肪タンパク質分解酵素は、新しいしみに対してしみ抜き効果に優れ、また過炭酸ソーダは、古いしみに対してしみ抜き効果に優れ、更に中性界面活性剤は繊維への浸透性を高めて、処理時間を短縮することができる。【選択図】    なし【特許請求の範囲】
【請求項１】
脂肪タンパク質分解酵素が２０〜７５重量％、中性界面活性剤を１〜１０重量％、残部が過炭酸ソーダからなることを特徴とするしみ抜き剤。
【請求項２】
脂肪タンパク質分解酵素が３０〜６０重量％であることを特徴とする請求項１記載のしみ抜き剤。
【請求項３】
過炭酸ソーダが２５〜７５重量％であることを特徴とする請求項１記載のしみ抜き剤。
【発明の詳細な説明】
【０００１】
【発明の属する技術分野】
本発明は、繊維製品のしみ抜き剤に関するものである。
【０００２】
【従来の技術】
一般に、衣類に付着したコーヒーや紅茶、醤油、血液、泥はねなどのしみは、直に洗濯すれば落とすことができるが、長時間放置しておくとしみとなって残る問題がある。また汗や日焼けによる黄ばみや黄変、黒かびなどは、時間が経過しているため、しみ抜きが困難であった。このため種々研究を行なった結果、酵素と、過炭酸ソーダおよび界面活性剤を組み合わせることによりしみ抜き効果が優れていることを見出した。
【０００３】
従来の酵素と、過炭酸ソーダおよび界面活性剤を組み合わせた洗剤としては、特開２０００−９６０８８に示されているプレ洗剤及びそれを用いた洗浄方法がある。この方法は、水に被洗物を投入したものに、脂肪酸、エーテル系、エーテルエステル系もしくはエステル系ノニオン界面活性剤及び酵素を含有するプレ洗剤を投入し、被洗物を撹拌しながら、アルカリを添加して洗濯することを特徴とする洗浄方法である。
【０００４】
このプレ洗剤は、ノニオン界面活性剤を１〜５０重量％、酵素は０．  １〜５重量％、後から添加するアルカリは、脂肪酸の中和に必要な量の１〜３倍量であり、アルカリとしてはカセイソーダ、カセイカリ、炭酸カリ、珪酸ソーダ、メタ珪酸ソーダ、過炭酸ソーダ等の無機アルカリ、アンモニア、メチルアミン、ジメチルアミン、エタノールアミン、ジエタノールアミン、トリエタノールアミン等の有機アルカリなどが使用できるというものである。
【０００５】
このプレ洗剤及びそれを用いた洗浄方法は、公報に記載されているように、シャツやシーツなど白物と呼ばれているランドリー洗剤であり、またプレ洗剤はそれ自体では洗剤として機能しないが、後から添加したアルカリと接触した時に洗剤となるものである。このため、このプレ洗剤を用いて洗濯すれば、少ない洗剤量であるにも拘わらず、従来に比べて極めて洗浄力の高い洗濯方法を得ることができるというものである。
【０００６】
しかしながらウールやレーヨン、テンセル、絹などの洗濯機で撹拌しながらランド−クリーニングすることができないものについては適用することができず、また上記成分の混合比率や、後からアルカリを添加する方法では、繊維の種類や色柄に拘らず数年以上経過したしみについては、これを除去することができず、しかも作業工程が多くなる欠点がある。
【０００７】
【発明が解決しようとする課題】
本発明は上記問題を改善し、１０年以上経過したようなしみでも、漬け置きして置くだけで、繊維の種類や色柄に拘らず新品同様に確実にしみ抜きすることができ、洗濯後もしみが抜けない他のクリーニング業者から依頼された衣類などについても、確実にしみ抜きすることができることから、従来にない画期的なしみ抜き剤を開発したものである。
【０００８】
【課題を解決するための手段】
本発明の請求項１記載のしみ抜き剤は、脂肪タンパク質分解酵素が２０〜７５重量％、中性界面活性剤を１〜１０重量％、残部が過炭酸ソーダからなることを特徴とするものである。また請求項２記載のしみ抜き剤は、脂肪タンパク質分解酵素が３０〜６０重量％であることを特徴とするものである。更に請求項３記載のしみ抜き剤は、過炭酸ソーダが２５〜７５重量％であることを特徴とするものである。
【０００９】
以下、本発明のしみ抜き剤の成分について詳細に説明する。脂肪タンパク質分解酵素は、新しいしみに対して酵素の作用により分解してしみ抜き効果に優れ、数年以上経過したしみに対しては効果が少ない。脂肪タンパク質分解酵素の混合範囲は２０〜７５重量％が好ましく、２０重量％未満では新しいしみに対して効果が少なく、また７５重量％を越えて添加してもその効果は少ない。なお３０〜６０重量％の範囲が、しみ抜き作用や処理時間、並びに価格の上から最も好ましい。
【００１０】
中性界面活性剤は、しみ抜き剤を繊維に浸透させ短時間にしみ抜きする作用をなすものである。この中性界面活性剤の混合量は、１〜１０重量％が好ましく、１重量％未満では繊維に浸透する時間が長くなり作業性が悪く、また１０重量％を超えて添加しても効果は変わらない。
【００１１】
本発明の過炭酸ソーダは１年以上経過した古いしみに対して、優れたしみ抜き作用を有するもので、新しいしみに対しては効果が少ない。過炭酸ソーダの混合範囲は２５〜７５重量％が好ましく、２５重量％未満の添加では、古いしみに対してのしみ抜き効果が少なく、また７５重量％を超えて添加すると、脂肪タンパク質分解酵素の割合が少なくなり、新しいしみに対してしみ抜き効果が低くなるからである。また過炭酸ソーダはアルカリ性が弱く、脂肪タンパク質分解酵素の働きを阻害しないが、従来のプレ洗剤に添加するカセイソーダ、カセイカリ、アンモニアなど強いアルカリを添加すると酵素を失活させてその作用が悪くなる。
【００１２】
また本発明は、脂肪タンパク質分解酵素と、中性界面活性剤、過炭酸ソーダを上記混合範囲に同時に混合して、これを水やぬるま湯に溶かした液に、染み抜きする衣類などを漬け置きするだけで、著しいしみ抜き効果を発揮できる。この場合、従来のプレ洗剤のように後からアルカリを添加しても、しみ抜き作用は少ない。
【００１３】
これは従来のプレ洗剤では、酵素の添加量が０．  １〜５重量％と、本発明の２０〜７５重量％に比べて極めて少なく、しかも後から添加するアルカリは単なるｐＨ調整剤であるのに対して、本願の過炭酸ソーダは、１０年以上経過した古いしみを除去する作用があり、単に洗剤の使用量を少なくするという目的のプレ洗剤とはその作用効果が全く異なるものである。
【００１４】
なお本発明のしみ抜き剤を使用してしみ抜きする方法は、１２リットルの水やぬるま湯に対して１００ｇ程度添加し、ここにしみの付着した衣類などを漬け置きするだけで良い。
【００１５】
また本発明は、脂肪タンパク質分解酵素と、中性界面活性剤、過炭酸ソーダを上記混合範囲に同時に混合しているので、その理由は不明であるが、これらの相乗効果により、木綿、ポリエステル、麻、ウール、シルク、レーヨン、テンセルなどあらゆる種類の繊維の、白ものや、着色したものや柄ものなどの黒ものなどのしみ抜き作用に優れ、しかも泥や血液、汗や日焼けによる黄ばみや黄変、コーヒーや醤油、ソース、黒かびなどあらゆる種類のしみに対してもしみ抜き効果に優れている。このため本発明のしみ抜き剤は、漬け置きだけで手間が掛からないので、業務用としてだけではなく家庭用としても、利用することができる。
【００１６】
【実施例】
（実施例１）脂肪タンパク質分解酵素が３５重量％、過炭酸ソーダ６０重量％、中性界面活性剤５重量％混合したしみ抜き剤を、１２リットルのぬるま湯に対して１００ｇ溶かした。この溶液に黄変した約１ｋｇの上着を浸漬して漬け置きした。上着の黄変は汗によるもので、１年程度経過した新しいしみが付着したものと、１０年経過した古いしみが付着したものの２種類についてテストし、しみが抜けるまでの時間を測定した。その結果は、表１に示す通りである。なお古いしみが付着した上着は実線で、新しいしみが付着した上着は破線で示した。
【００１７】
【表１】
2004189787.tif 000002
【００１８】
上表の結果から、シルクに付着した古いしみは約４０分かかったが、他の繊維は漬け置きするだけで約３０分程度で除去することができた。また新しいしみについては約１５分程度で完全に除去することができた。
【００１９】
（実施例２）脂肪タンパク質分解酵素が５０重量％、過炭酸ソーダ４８重量％、中性界面活性剤２重量％混合したしみ抜き剤を、１２リットルのぬるま湯に対して１００ｇ溶かした。この溶液に、泥や血液、コーヒーや醤油、ソース、汗や日焼けによる黄ばみや黄変、黒かびなどのしみが付着したウールのセーターを約１ｋｇ漬け置きした。しみは１年程度経過した新しいしみが付着したものと、１０年経過した古いしみが付着したものの２種類についてテストし、しみが抜けるまでの時間を測定した。その結果は、表２に示す通りである。なお古いしみが付着した上着は実線で、新しいしみが付着した上着は破線で示した。
【００２０】
【表２】
2004189787.tif 000003
【００２１】
表２の結果から、黒かびを除いて、古いしみは約３０分程度、新しいしみについては約１０分程度で完全に除去することができた。また黒かびについては約８０分程度で除去することができた。またこれとは別に、木綿、ポリエステル、麻、レーヨン、テンセルについても同様にテストしたが、ほぼ同様に結果が得られた。またシルクの洋服に付着した黒かびについて他のクリーニング業者でしみ抜きができなかったものについて、実施例２の成分のしみ抜き剤を用いてしみ抜きしたところ、１２０分でしみ抜きすることができた。
【００２２】
（比較例）
脂肪タンパク質分解酵素が１００重量％のもの（Ｎｏ１）と、脂肪タンパク質分解酵素が９０重量％，過炭酸ソーダ９重量％、中性界面活性剤１重量％混合したもの（Ｎｏ２）、脂肪タンパク質分解酵素が１５重量％、過炭酸ソーダ８２重量％、中性界面活性剤３重量％混合したもの（Ｎｏ３）および過炭酸ソーダ１００重量％のもの（Ｎｏ４）とについて、１２リットルのぬるま湯に対して１００ｇ溶かした。この溶液に、日焼けにより黄変したシルクのセーターを約１ｋｇを１８０分漬け置きした。しみは１年程度経過した新しいしみが付着したものと、１０年経過した古いしみが付着したものの２種類についてテストした。その結果は表３に示す通りである。
【００２３】
【表３】
2004189787.tif 000004
【００２４】
表３の結果から、酵素１００重量％のものは、新しいしみに対しては効果があるが古いしみに対してはやや効果が少なく、また過炭酸ソーダ１００重量％のものは、古いしみに対しては効果があるが、新しいしみに対してはやや効果が少ない。また本発明に規定する範囲外のＮｏ２、Ｎｏ３は、酵素と中性界面活性剤、過炭酸ソーダの３種を含むが、しみ抜き効果については不十分であった。
【００２５】
【発明の効果】
以上説明した如く本発明に係る請求項１記載のしみ抜き剤によれば、脂肪タンパク質分解酵素と、中性界面活性剤、過炭酸ソーダを規定の範囲に同時に混合しているので、これらの相乗効果により、木綿、ポリエステル、麻、ウール、シルク、レーヨン、テンセルなどあらゆる種類の繊維で、しかも白ものや着色した黒ものなど、繊維の種類を問わずしみ抜き作用に優れ、しかも泥や血液、汗や日焼けによる黄ばみや黄変、コーヒーや醤油、ソース、黒かびなどあらゆる種類のしみに対してもしみ抜き効果に優れている。しかも本発明のしみ抜き剤は、漬け置きだけで手間が掛からないので業務用としてだけではなく、家庭用としても、広く利用することができると共に、特に機械洗いができないウールやシルクのしみ抜き剤として、画期的な効果を発揮することができる。
【００２６】
また請求項２記載のしみ抜き剤によれば、脂肪タンパク質分解酵素が３０〜６０重量％に規定したので、新しいしみに対してしみ抜き効果に優れ、またまた請求項３記載のしみ抜き剤によれば、過炭酸ソーダが２５〜７５重量％に規定したので古いしみに対してしみ抜き効果に優れている。